【手続補正書】
【提出日】平成20年9月2日(2008.9.2)
【手続補正１】
【補正対象書類名】特許請求の範囲
【補正対象項目名】全文
【補正方法】変更
【補正の内容】
【特許請求の範囲】
【請求項１】
病気（疾患）診療の面から把握される病気状態を示す複数の病気データを備える病気（疾患）診療セクターと、
健康予防の面から把握される未病状態を示す複数の未病データを備える健康予防セクターと、
前記病気データと前記未病データとを入力し、予め設定された基準データに対する前記データに関連する偏差データを算出し、該偏差データに基づいて個人又は集団の健康状態を解析する解析セクターと、
を備えたことを特徴とする健康デザインシステム。
【請求項２】
前記病気データは、既にある医療記録又は健康診断の記録を構成する項目データであり、前記未病データは、生活習慣の記録を構成する項目データである請求項１の健康デザインシステム。
【請求項３】
前記偏差データが個人の時系列的解析において許容範囲を超過した項目データを経時変化に基づいて時系列的に解析し、該項目データの超過値を減少させる方向、又は、前記偏差データが個人の時系列的解析において許容範囲を下回る項目データを経時変化に基づいて解析し、該項目データの不足値を増大させる方向の対策データを出力する請求項１又は２の健康デザインシステム。
【請求項４】
前記病気データ、未病データ、及び基準データに、地域性情報を入力し、地域解析サーバにより、地域要因が考慮された対策データが出力される請求項１乃至３いずれかの健康デザインシステム。
【請求項５】
医療、介護の面から把握される老化度を示す複数の老化度データを備える老化度診断セクターと、
老化予防の面から把握される老化度を示す複数の老化予防データを備える老化予防セクターと、
前記老化度データと前記老化予防データとを入力し、予め設定された基準データに対する前記データに関連する偏差データを算出し、該偏差データに基づいて個人または集団の健康状態を解析する解析セクターと、
を備えたことを特徴とする健康デザインシステム。
【請求項６】
前記老化度データは、既にある医療記録または健康診断の記録を構成する項目データであり、前記老化予防データは、生活習慣の記録を構成する項目データである請求項５の健康デザインシステム。
【請求項７】
前記偏差データが個人の時系列的解析において許容範囲を超過した項目データを経時変化に基づいて時系列的に解析し、該項目データの超過値を減少させる方向、又は、前記偏差データが個人の時系列的解析において許容範囲を下回る項目データを経時変化に基づいて解析し、該項目データの不足値を増大させる方向の対策データを出力する請求項５又は６の健康デザインシステム。
【請求項８】
前記老化度データ、老化予防データ、及び基準データに、地域性情報を入力し、地域解析サーバにより、地域要因が考慮された対策データが出力される請求項５乃至７いずれかの健康デザインシステム。
【手続補正２】
【補正対象書類名】明細書
【補正対象項目名】００１０
【補正方法】変更
【補正の内容】
【００１０】
上記に鑑み、請求項１に記載の発明は、病気（疾患）診療の面から把握される病気状態を示す複数の病気データを備える病気（疾患）診療セクターと、健康予防の面から把握される未病状態を示す複数の未病データを備える健康予防セクターと、前記病気データと前記未病データとを入力し、予め設定された基準データに対する前記データに関連する偏差データを算出し、該偏差データに基づいて個人又は集団の健康状態を解析する解析セクターと、を備えたことを特徴とする。病気（疾患）診療セクターでは、病気データは既に形として顕在化している記録であると捉えている。健康予防セクターでは、未病データは、未だ形として潜在化している記録であると捉えている。病気データと未病データとの両方を結合して、個人又は集団としての健康状態を解析してゆく趣旨である。「健康予防セクター」としたのは、「健康」を「予防」する意味ではなく、「健康」になるように「病気」を「予防」するという意味である。
請求項２に記載の発明は、前記病気データは、既にある医療記録又は健康診断の記録を構成する項目データであり、前記未病データは、生活習慣の記録を構成する項目データであることが好ましい。
請求項３に記載の発明の解析部は、前記偏差データが個人の時系列的解析において許容範囲を超過した項目データを経時変化に基づいて時系列的に解析し、該項目データの超過値を減少させる方向、又は、前記偏差データが個人の時系列的解析において許容範囲を下回る項目データを経時変化に基づいて解析し、該項目データの不足値を増大させる方向の対策データを出力することが好ましい。請求項１乃至３いずれかの健康デザインシステムである。解析部は、項目データの許容値からのズレが判明したら、足りないものをどう補完するのか、多すぎるものをどう減少させるのかを解析する。
請求項４に記載の発明は、前記病気データ、未病データ、及び基準データに、地域性情報を入力し、地域解析サーバにより、地域要因が考慮された対策データが出力されることが好ましい。
請求項５記載の発明は、医療、介護の面から把握される老化度を示す複数の老化度データを備える老化度診断セクターと、老化予防の面から把握される老化度を示す複数の老化予防データを備える老化予防セクターと、前記老化度データと前記老化予防データとを入力し、予め設定された基準データに対する前記データに関連する偏差データを算出し、該偏差データに基づいて個人または集団の健康状態を解析する解析セクターと、を備えたことを特徴とする健康デザインシステムである。
請求項６に記載の発明において、前記老化度データは、既にある医療記録または健康診断の記録を構成する項目データであり、前記老化予防データは、生活習慣の記録を構成する項目データであることが好ましい。
請求項７に記載の発明は、前記偏差データが個人の時系列的解析において許容範囲を超過した項目データを経時変化に基づいて時系列的に解析し、該項目データの超過値を減少させる方向、又は、前記偏差データが個人の時系列的解析において許容範囲を下回る項目データを経時変化に基づいて解析し、該項目データの不足値を増大させる方向の対策データを出力することが好ましい。
請求項８に記載の発明は、前記老化度データ、老化予防データ、及び基準データに、地域性情報を入力し、地域解析サーバにより、地域要因が考慮された対策データが出力されることが好ましい。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】